(57)【特許請求の範囲】
【請求項１】
縦および横方向と、互いに対向する第1および第２胴周り域と、前記第１および第２胴周り域の間に位置する股下域と、前記第１胴周り域の第１対向側部と前記第２胴周り域の第２対向側部とが互いに連結されることで、胴周り開口と、一対の脚周り開口とを有し、前記第１胴周り域における前記胴周り開口の第１縁部と前記第２胴周り域における前記胴周り開口の第２縁部が前記縦方向に一致して位置しているパンツ型の使い捨て着用物品において、
前記物品が、前記縦方向における前記物品の寸法を二等分する横方向中心線よりも前記第１胴周り域における前記胴周り開口の前記第１縁部の側へ偏倚した位置で前記股下域を前記横方向へ延びる折曲部に沿って折曲されており、よって、前記胴周り開口の前記第２縁部が、前記胴周り開口の前記第１縁部よりも縦方向上方に位置し、前記第１および第２胴周り域の内面が互いに当接する扁平状態に折畳まれていることを特徴とする前記物品。
【請求項２】
前記第１および第２胴周り域の両側域各々が、前記第１および第２胴周り域の間に介在するように前記物品の内側へ向かって折り込まれている請求項１記載の物品。
【発明の詳細な説明】
【０００１】
【発明の属する技術分野】
本発明は、パンツ型の使い捨ておむつや使い捨てトレーニングパンツ、使い捨て失禁パンツ等のパンツ型の使い捨て着用物品に関する。
【０００２】
【従来の技術】
使い捨てパンツの折り畳み構造が登録実用新案公報第３０２１１９０号に開示されている。このパンツは、透液性表面シートと、不透液性裏面シートと、それらシートの間に介在する吸液性コアとから構成され、胴周り開口と一対の脚周り開口とを有する。
【０００３】
このパンツでは、前胴周り域と後胴周り域との間を胴周り方向へ延びる両側域のいずれか一方がそれら胴周り域の間に介在するようにパンツの内側へ向かって折り込まれ、他方がそれら胴周り域のいずれか一方の外側へ向かって折り返されている。このパンツは、両側域各々がパンツの胴周り方向中央へ向かって畳まれているので、パンツの平面形状を略四角形にすることができる。
【０００４】
【発明が解決しようとする課題】
畳まれた前記パンツを着用するには、前胴周り域における胴周り開口の縁部と後胴周り域における胴周り開口の縁部とを指で摘持し、それら縁部を互いに離間させる方向へ引っ張り、パンツの胴周り開口を広げる。しかし、このパンツでは、前胴周り域の前記縁部と後胴周り域の前記縁部とが一致した状態で、縁部どうしが互いに重なり合っているので、それら縁部を摘持するときに、重なり合うそれら縁部の間に両手の親指を挿し入れなければならず、その分、着用操作に手間を要する。
【０００５】
本発明の課題は、前胴周り域における胴周り開口の縁部と後胴周り域における胴周り開口の縁部との間に両手の親指を挿し入れることなく、それら縁部を摘持することができるように畳まれたパンツ型の使い捨て着用物品を提供することにある。
【０００６】
【課題を解決するための手段】
前述した課題を解決するための本発明は、縦および横方向と、互いに対向する第１および第２胴周り域と、前記第１および第２胴周り域の間に位置する股下域と、前記第１胴周り域の第１対向側部と前記第２胴周り域の第２対向側部とが互いに連結されることで、胴周り開口と、一対の脚周り開口とを有し、前記第１胴周り域における前記胴周り開口の第１縁部と前記第２胴周り域における前記胴周り開口の第２縁部が前記縦方向に一致して位置しているパンツ型の使い捨て着用物品を改良することにある。
【０００７】
改良にかかる本発明の特徴は、前記物品が、前記縦方向における前記物品の寸法を二等分する横方向中心線よりも前記第１胴周り域における前記胴周り開口の前記第１縁部の側へ偏倚した位置で前記股下域を前記横方向へ延びる折曲部に沿って折曲されており、よって、前記胴周り開口の前記第２縁部が、前記胴周り開口の前記第１縁部よりも縦方向上方に位置し、前記第１および第２胴周り域の内面が互いに当接する扁平状態に折畳まれていることにある。
【０００８】
本発明の実施の態様の一例としては、前記第１胴周り域と前記第２胴周り域との間を胴周り方向へ延びる両側域各々が、前記第１胴周り域と前記第２胴周り域との間に介在するように前記物品の内側へ向かって折り込まれている。
【０００９】
【発明の実施の形態】
添付の図面を参照し、本発明に係るパンツ型の使い捨て着用物品の詳細を使い捨ておむつを例として説明すると、以下のとおりである。
【００１０】
図１，２は、パンツ型の使い捨ておむつ１の部分破断斜視図と、前胴周り域２０の側から示す、畳まれた状態にあるおむつ１の斜視図とであり、図３は、図２のＡ−Ａ線端面図である。図１では、胴周り方向を矢印Ｘ、縦方向を矢印Ｙで示し、脚周り方向を矢印Ｚで示す。なお、表面シート２や裏面シート３の内面とは、コア４に対向する面をいい、それらシート２，３の外面とは、コア４に非対向の面をいう。
【００１１】
おむつ１は、透液性表面シート２と、不透液性裏面シート３と、それらシート２，３の間に介在し、全体がティッシュペーパー（図示せず）に被覆、接合された吸液性コア４とを主要な構成部材とする。コア４は、ティッシュペーパーを介して表面シート２と裏面シート３との内面に接合されている。
【００１２】
おむつ１は、互いに対向する前胴周り域２０および後胴周り域２２と、前後胴周り域２０，２２の間に位置する股下域２１とを有する。おむつ１では、前後胴周り域２０，２２から胴周り方向へ延びる対向側部６ａ，６ｂ各々が合掌状に重なり合い、それら対向側部６ａ，６ｂの側縁近傍が縦方向へ間欠的に並ぶ多数の接合部５を介して固着されている。
【００１３】
おむつ１には、それら対向側部６ａ，６ｂが連結されることによって、前胴周り域２０と後胴周り域２２との間を胴周り方向へ延びる両側域２３が画成されている。おむつ１には、胴周り開口７と一対の脚周り開口８とが画成されている。
【００１４】
前後胴周り域２０，２２における胴周り開口７の縁部９ａ，９ｂには、胴周り方向へ伸縮する複数条の胴周り用弾性部材１１が表面シート２と裏面シート３との間に介在し、それらシート２，３の内面に伸長状態で取り付けられている。
【００１５】
対向側部６ａ，６ｂが連結された脚周り開口８の縁部１０は、おむつの縦方向において互いに一致している、すなわち、上下方向にずれることなく位置しており、その縁部１０には、脚周り方向へ伸縮する複数条の脚周り用弾性部材１２が表面シート２と裏面シート３との間に介在し、それらシート２，３の内面に伸長状態で取り付けられている。
【００１６】
脚周り用弾性部材１２は、第１脚周り用弾性部材１２ａと第２脚周り用弾性部材１２ｂとから形成されている。それら脚周り用弾性部材１２ａ，１２ｂは、股下域２１を横切る中央部分１２ａ１，１２ｂ１と、脚周り開口８の縁部１０に沿って延びる両側部分１２ａ２，１２ｂ２とを有する。第１弾性部材１２ａの両側部分１２ａ２は、脚周り開口８の縁部１０の略前半分に位置し、第２弾性部材１２ｂの両側部分１２ｂ２は、脚周り開口８の縁部１０の略後半分に位置している。
【００１７】
胴周り用弾性部材１１と脚周り用弾性部材１２との間には、胴周り方向へ伸縮する複数条の補助弾性部材１３が表面シート２と裏面シート３との間に介在し、それらシート２，３の内面に伸長状態で取り付けられている。図１では、弾性部材１１，１２，１３各々が収縮し、胴周り開口７の縁部９ａ，９ｂと脚周り開口８の縁部１０と前後胴周り域２０，２２とに多数のギャザーが形成されている。
【００１８】
おむつ１は、図２に示すように、股下域２１を横切る折曲部１４によって折曲され、表面シート２の外面（おむつ１の内面）が互いに当接した状態に畳まれている。折曲部１４は、おむつ１の縦方向（上下方向）寸法を二等分する横方向中心線Ｌ(図１，３参照)よりも前胴周り域２０における胴周り開口７の縁部９ａの側へ偏倚した位置に形成されている。そのように畳まれたおむつ１では、前胴周り域２０における胴周り開口７の縁部９ａが後胴周り域２２における胴周り開口７の縁部９ｂよりも縦方向下方に位置している。
【００１９】
このように、おむつ１では、縁部９ａと縁部９ｂとの位置に上下差が設けてあるので、縁部９ａと縁部９ｂとの間に両手の親指を挿し入れることなく、上方へ突出する縁部９ｂを指で摘持することができる。おむつ１では、縁部９ｂを摘持すると、胴周り開口７がわずかに口を開け、縁部９ａと縁部９ｂとが離間するので、その後、縁部９ａを指で摘持すればよい。おむつ１では、縁部９ａと縁部９ｂとを摘持しつつ、それら縁部９ａ，９ｂを互いに離間させる方向へ引っ張ることにより、畳まれた状態にあるおむつ１の胴周り開口７を広げることができる。
【００２０】
図４，５は、図２のおむつ１をさらに畳んだ状態で示す斜視図と、図４のＢ−Ｂ線端面図とであり、図６は、図４に示すおむつ１を多数収納したパッケージ１５の斜視図である。おむつ１では、両側域２３各々が前胴周り域２０と後胴周り域２２との間に介在するように、おむつ１の内側へ向かって折り込まれている。このおむつ１では、後胴周り域２２における胴周り開口７の縁部９ｂの胴周り方向中央部分９ｂ１が前胴周り域２０における胴周り開口７の縁部９ａから縦方向上方へ突出している。
【００２１】
このおむつ１では、両側域２３各々がおむつ１の内側へ向かって折り込まれているので、おむつ１を図２のそれよりもコンパクトにすることができる。おむつ１では、縁部９ｂの中央部分９ｂ１が摘みとなり、それを指で摘持することによって、縁部９ａと縁部９ｂとの間に両手の親指を挿し入れることなく、縁部９ｂを摘持することができる。おむつ１では、中央部分９ｂ１を摘持した後に、縁部９ａを指で摘持すればよい。
【００２２】
おむつ１は、図６に示すように、多数のおむつ１を重ね合わせた状態でパッケージ１５に収納される。おむつ１は、縁部９ｂの中央部分９ｂ１が縁部９ａから縦方向上方へ突出しているので、縁部９ｂの中央部分９ｂ１を指で摘持しておむつ１をパッケージ１５から引き抜けばよく、おむつ１をパッケージ１５から取り出す操作が容易である。
【００２３】
それら図示例のおむつ１は、股下域２１を横切る折曲部１４が、前胴周り域２０における胴周り開口７の縁部９ａの側へ偏倚した位置に形成されているが、折曲部１４が、後胴周り域２２の胴周り開口７の縁部９ｂの側へ偏倚した位置に形成されていてもよい。折曲部１４を後胴周り域２２の側へ偏倚させたおむつでは、後胴周り域２２における胴周り開口７の縁部９ｂが前胴周り域２０における胴周り開口７の縁部９ａよりも縦方向下方に位置する。
【００２４】
図２のおむつ１では、それを多数重ね合わせた状態でパッケージ１５に収納した場合、後胴周り域２２の縁部９ｂが前胴周り域２０の縁部９ａの上方に位置するので、縁部９ｂを指で摘持しておむつ１をパッケージ１５から引き抜けばよい。
【００２５】
表面シート２には、親水性繊維不織布や多数の開孔を有するプラスチックフィルムを使用することができる。裏面シート３には、疎水性繊維不織布や不透液性のプラスチックフィルム、または、疎水性繊維不織布とプラスチックフィルムとのラミネートシートを使用することができる。裏面シート３には、高い耐水性を有するメルトブローン法による繊維不織布を、高い強度を有しかつ柔軟性に富んだスパンボンド法による繊維不織布で挟んだ複合不織布を使用することもできる。
【００２６】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００２７】
コア４は、フラッフパルプと高吸収性ポリマー粒子と熱可塑性合成樹脂繊維との混合物であり、所要の厚みに圧縮されている。高吸収性ポリマー粒子としては、デンプン系、セルロース系、合成ポリマー系のものを使用することができる。
【００２８】
表裏面シート２，３の固着、コア４の接合、弾性部材１１，１２，１３の取り付けには、ホットメルト型接着剤、または、ヒートシールやソニックシール等の熱による溶着手段を使用することができる。
【００２９】
この発明は、パンツ型の使い捨ておむつ１の他に、幼児のおむつ離れを促進するための使い捨てトレーニングパンツや使い捨て失禁パンツ等にも実施することができる。
【００３０】
【発明の効果】
本発明に係るパンツ型の使い捨て着用物品では、股下域を横方向へ延びる折曲部が、物品の縦方向寸法を二等分する横方向中心線よりも、第１胴周り域（前後胴周り域の一方）における胴周り開口の第１縁部の側へ偏倚して位置するように折曲されているので、第１胴周り域における胴周り開口の第１縁部が第２胴周り域（前後胴周り域の他方）における胴周り開口の第２縁部よりも縦方向下方へ下がる、換言すると、第２胴周り域における胴周り開口の第２縁部が第１胴周り域における胴周り開口の第１縁部よりも縦方向上方へ突出する。したがって、第１縁部と第２縁部との間に両手の親指を挿し入れることなく、突出した第２縁部を指で摘持した後に、第１縁部を指で摘持することができる。
【００３１】
前記折曲状態で両側域各々を第１胴周り域と第２胴周り域との間に介在するように折り込んだ物品では、第２縁部の胴周り方向中央部分が第１縁部よりも縦方向上方へ突出するので、第２縁部の中央部分を指で摘持した後に、第１縁部を指で摘持することができる。
【００３２】
多数のそれら物品をパッケージに収納した場合では、第１縁部または第２縁部の中央部分を摘持して物品をパッケージから引き抜けばよく、物品をパッケージから取り出す操作が容易である。
【図面の簡単な説明】
【図１】  使い捨ておむつの部分破断斜視図。
【図２】  前胴周り域の側から示す、畳まれた状態にあるおむつの斜視図。
【図３】  図２のＡ−Ａ線端面図。
【図４】  図２のおむつをさらに畳んだ状態で示す斜視図。
【図５】  図４のＢ−Ｂ線端面図。
【図６】  図４のおむつを多数収納したパッケージの斜視図。
【符号の説明】
１            パンツ型の使い捨ておむつ（パンツ型の使い捨て着用物品）
７            胴周り開口
８            脚周り開口
９ａ          第１縁部
９ｂ          第２縁部
１４            折曲部
２０            第１胴周り域
２１            股下域
２２            第２胴周り域
【図１】
0003807924.tif 000002
【図２】
0003807924.tif 000003
【図３】
0003807924.tif 000004
【図４】
0003807924.tif 000005
【図５】
0003807924.tif 000006
【図６】
0003807924.tif 000007